(57)【要約】【課題】外囲器の内部の構成要素による外囲器の破損を抑制するランプの提供。【解決手段】ランプ１００は、透光性を有する外囲器１と、外囲器１内に配置される発光管２と、外囲器１内に配置され且つ発光管２を支持する支持部材としての支持枠３と、外囲器１内に配置され且つ支持枠３を外囲器１の内表面１ａａ上で支持する支持体１０とを備える。支持体１０は、支持体１０と外囲器１の内表面１ａａとの間に弾性部としての弾性部材１２を有する。【選択図】図１
2018107094.tif 000002
【特許請求の範囲】
【請求項１】
透光性を有する外囲器と、
前記外囲器内に配置される発光管と、
前記外囲器内に配置され且つ前記発光管を支持する支持部材と、
前記外囲器内に配置され且つ前記支持部材を前記外囲器の内表面上で支持する支持体と
を備え、
前記支持体は、前記支持体と前記外囲器の内表面との間に弾性部を有する
ランプ。
【請求項２】
前記支持体は、前記支持部材を支持する支持体本体をさらに有し、
前記弾性部は、前記支持体本体から前記内表面に向かって湾曲する板状部材で構成される
請求項１に記載のランプ。
【発明の詳細な説明】
【技術分野】
【０００１】
本発明は、ランプに関する。
【背景技術】
【０００２】
屋内外の施設の照明装置、船舶に搭載される集魚灯及び水中灯等のランプとして、外囲器内に発光管を備えるランプが既知である。例えば、特許文献１に記載されるランプでは、外囲管内において、発光管がサポート部材によって支持されている。発光管を振動、衝撃等から保護するために、サポート部材には、複数の略弓形状をなすばね体が設けられている。ばね体の折曲部及び突出部が、外囲管の内面に弾性的に当接する。
【先行技術文献】
【特許文献】
【０００３】
【特許文献１】特開２００２−１１０１０１号公報
【発明の概要】
【発明が解決しようとする課題】
【０００４】
特許文献１に記載されるばね体は、板状の部材である。このため、外囲管に振動、衝撃等が加えられた際、サポート部材に外力が作用し、この外力によって、サポート部材が、ばね体を変形させつつ変位する場合がある。これにより、サポート部材が、外囲管に衝突し外囲管を破損させる可能性がある。よって、外囲管等の外囲器が内部の構成要素によって破損するという問題がある。
【０００５】
本発明は、上述のような問題を解決するためになされたものであり、外囲器の内部の構成要素による外囲器の破損を抑制するランプを提供する。
【課題を解決するための手段】
【０００６】
本発明の一態様に係るランプは、透光性を有する外囲器と、前記外囲器内に配置される発光管と、前記外囲器内に配置され且つ前記発光管を支持する支持部材と、前記外囲器内に配置され且つ前記支持部材を前記外囲器の内表面上で支持する支持体とを備え、前記支持体は、前記支持体と前記外囲器の内表面との間に弾性部を有する。
【発明の効果】
【０００７】
本発明に係るランプによれば、外囲器の内部の構成要素による外囲器の破損が抑えられる。
【図面の簡単な説明】
【０００８】
【図１】本発明の実施の形態に係るランプの構成を示す概念的な側面図である。
【図２】図１のランプを異なる方向から見た概念的な側面図である。
【図３】図１のランプのＩＩＩ−ＩＩＩ線に沿った概念的な断面図である。
【図４】図３の支持体の外囲器への挿入前の状態を示す概念的な図である。
【図５】実施の形態の変形例に係るランプを図１と同様に示す概念的な側面図である。
【図６】図５のランプのＶＩ−ＶＩ線に沿った概念的な断面図である。
【発明を実施するための形態】
【０００９】
以下において、図面を参照しつつ、本発明の実施の形態及び変形例に係るランプを説明する。なお、以下で説明する実施の形態及び変形例は、本発明の好ましい一具体例を示すものである。以下の実施の形態及び変形例で示される数値、形状、材料、構成要素、並びに構成要素の配置位置及び接続形態等は、一例であり、本発明を限定する主旨ではない。また、以下の実施の形態及び変形例における構成要素のうち、最上位概念を示す独立請求項に記載されていない構成要素については、任意の構成要素として説明される。
【００１０】
また、添付の図面における各図は、模式的な図であり、必ずしも厳密に図示されたものでない。さらに、各図において、同一又は同様な構成要素については同じ符号を付している。また、以下の実施の形態及び変形例の説明において、略平行、略直交のような「略」を伴った表現が、用いられる場合がある。例えば、略平行とは、完全に平行であることを意味するだけでなく、実質的に平行である、すなわち、例えば数％程度の差異を含むことも意味する。他の「略」を伴った表現についても同様である。
【００１１】
［実施の形態］
実施の形態に係るランプ１００の構成を説明する。図１及び図２を参照すると、ランプ１００が、互いに異なる方向から見た側面図で示されている。なお、図１は、実施の形態に係るランプ１００の構成を示す概念的な側面図である。図２は、図１のランプ１００を異なる方向から見た概念的な側面図である。図１でランプ１００を見る方向と、図２でランプ１００を見る方向とは、略垂直である。ランプ１００は、透光性を有する外囲器１と、外囲器１内に配置される発光管２と、外囲器１内に配置され且つ発光管２を支持する支持部材としての支持枠３と、外囲器１内に配置され且つ支持枠３を外囲器１の内表面１ａａ上で支持する支持体１０とを備える。
【００１２】
中空構造の外囲器１は、ランプ１００の外殻を構成し、内部に空間を形成する。外囲器１は、透光性を有する部材で構成され、例えば、透明又は半透明である。外囲器１は、硬質ガラス若しくは石英ガラスなどのガラス材、又は樹脂等で構成される。限定するものではないが、本実施の形態では、外囲器１は、直線的な円筒状の外形を有している。しかしながら、外囲器１は、球、楕円球、角筒等のいかなる外形を有してもよく、直線状ではなく、湾曲及び屈曲した形状を含んでもよい。
【００１３】
外囲器１は、滑らかに且つ直線的に延びる円筒状の本体部１ａと、本体部１ａの長手軸Ａ方向の一方の端部の先端部１ｂと、本体部１ａの長手軸Ａ方向の他方の端部の基部１ｃとを一体的に含む。本体部１ａの長手軸Ａは、円筒の長軸に対応し、先端部１ｂから基部１ｃに向かう方向に延びる。長手軸Ａは、外囲器１の中心軸を構成する。先端部１ｂは、半球状の形状を有し、基部１ｃは、筒状の形状を有している。先端部１ｂの内部空間、基部１ｃの内部空間及び本体部１ａの内部空間は、互いに連通し、外囲器１の１つの内部空間を一緒に形成する。先端部１ｂは、本体部１ａから連続的に且つ滑らかに延びる。基部１ｃは、本体部１ａを先細にするような形状を有している。基部１ｃは、本体部１ａと反対側の端部に、外囲器１の内部空間を外部に連通する開口部を形成している。
【００１４】
ランプ１００は、外囲器１の基部１ｃの開口部に接続される口金４を備えている。口金４は、ランプ１００における電気機器との物理的及び電気的な接続部分を構成する。口金４から外囲器１の内部に、２つの電気導入線７ａ及び７ｂが延びる。電気導入線７ａ及び７ｂは、互いから離れて配置されている。
【００１５】
発光管２は、ランプ１００の発光部分を構成する。発光管２は、例えば、メタルハライドランプ、高圧ナトリウムランプ、水銀ランプ等の高輝度放電灯の発光部分を構成してもよい。本実施の形態では、発光管２は、メタルハライドランプの発光部分を構成する。発光管２は、例えば、石英ガラス、セラミック等で構成された円筒状の部材である。発光管２は、円筒状の本体部２ａと、本体部２ａの軸心方向の両端の端部２ｂ及び２ｃとを有する。本体部２ａ並びに端部２ｂ及び２ｃは、発光管２の上記材料で構成されている。端部２ｂ及び２ｃはそれぞれ、発光管２の対極となる２つの電極を支持する。端部２ｂ及び２ｃそれぞれが有する電極は、電気導入線７ｂ及び７ａと電気的に接続される。端部２ｂ及び２ｃの電極はそれぞれ、例えば、タングステン等の耐熱性金属で構成された棒状体である電極芯と、当該電極芯の先端部に巻回されたタングステン等の耐熱性金属で構成されたコイルとを有している。
【００１６】
発光管２は、端部２ｂを先端部１ｂへ向け且つ端部２ｃを基部１ｃへ向けた姿勢で、外囲器１内に配置される。さらに、発光管２は、端部２ｂから端部２ｃにわたって、外囲器１の本体部１ａ内に収まっている。そして、発光管２は、後述するように、支持枠３を介して、支持体１０によって、本体部１ａの内表面１ａａ上で支持される。なお、端部２ｂ及び２ｃそれぞれの少なくとも一部が、外囲器１の先端部１ｂ及び基部１ｃ内に位置してもよい。外囲器１において、このような本体部１ａは、発光管２の少なくとも本体部２ａを収容する部位と定義することができ、より好ましくは、端部２ｂから端部２ｃにわたって発光管２を収容する部位と定義することができる。
【００１７】
発光管２の内部には、例えば、水銀と、主発光金属（Ｔｌ、Ｎａ、Ｉｎ、Ｓｃ等）と、ハロゲンとしての沃素とが封入され、さらにアルゴン等の始動用の希ガスが封入される。なお、主発光金属及びハロゲンは、例えば、ＴｌＩ等の金属ハロゲン化物の形で発光管２内に封入できる。発光管２は、水銀と金属ハロゲン化物（メタルハライドとも呼ばれる）との高圧の混合蒸気中でのアーク放電により発光する。
【００１８】
支持枠３は、外囲器１の先端部１ｂ及び本体部１ａの内側に配置される。支持枠３は、外囲器１の先端部１ｂから基部１ｃに向かう方向に延びる２つの軸部材３ｃ及び３ｄと、軸部材３ｃ及び３ｄを互いに間隔をあけた状態で接続する２つの接続部材３ａ及び３ｂとを備える。軸部材３ｃ及び３ｄは、その軸方向を、外囲器１の本体部１ａの軸方向と略平行にして配置される。接続部材３ａは、軸部材３ｃ及び３ｄにおける先端部１ｂ側に位置する端部を互いに接続する。接続部材３ｂは、軸部材３ｃ及び３ｄにおける基部１ｃ側に位置する端部を互いに接続する。接続部材３ａ及び３ｂ並びに軸部材３ｃ及び３ｄは、金属等の導電性を有する材料で構成される。本実施の形態では、接続部材３ａ及び３ｂ並びに軸部材３ｃ及び３ｄを構成する材料は、ステンレスであるが、これに限定されない。軸部材３ｃ及び３ｄのそれぞれの両端付近に、支持体１０が取り付けられている。２つの支持体１０が、軸部材３ｃの両端付近で、本体部１ａの内表面１ａａと軸部材３ｃとの間に配置されている。２つの支持体１０が、軸部材３ｄの両端付近で、本体部１ａの内表面１ａａと軸部材３ｄとの間に配置されている。本体部１ａの内表面１ａａは、本体部１ａの内周面でもある。支持体１０の詳細な構成は、後述する。
【００１９】
支持枠３の軸部材３ｃ及び３ｄには、発光管２の端部２ｂ及び２ｃをそれぞれ軸部材３ｃ及び３ｄに固定する固定部材５ａ及び５ｂが取り付けられている。固定部材５ａ及び５ｂは、発光管２の発熱に対する耐熱性を有する材料で構成され、さらに、端部２ｂ及び２ｃと軸部材３ｃ及び３ｄとへの固定部材５ａ及び５ｂの取り付け及び固定を容易にするように、加工が容易な材料で構成されることが望ましい。例えば、固定部材５ａ及び５ｂは、ステンレス等の金属で構成される。固定部材５ａは、接続部材３ａの近傍で、軸部材３ｃから軸部材３ｄに架け渡されるように配置されている。固定部材５ｂは、接続部材３ｂの近傍で、軸部材３ｃから軸部材３ｄに架け渡されるように配置されている。固定部材５ａ及び５ｂは、軸部材３ｃ及び３ｄに固定されている。なお、固定部材５ａ及び５ｂと軸部材３ｃ及び３ｄとの間には、セラミック等の電気的な絶縁性を有する材料で構成された部材が介在し、これらの部材は、固定部材５ａ及び５ｂと、軸部材３ｃ及び３ｄとを電気的に絶縁する。
【００２０】
発光管２は、軸部材３ｃ及び３ｄの間に配置され、端部２ｂで固定部材５ａに取り付けられ固定され、端部２ｃで固定部材５ｂに取り付けられ固定される。発光管２の端部２ｂの電極は、導電部材６ａを介して支持枠３の接続部材３ａに電気的に接続される。さらに、支持枠３の接続部材３ｂは、電気導入線７ｂと電気的に接続される。よって、発光管２の端部２ｂの電極は、支持枠３を介して電気導入線７ｂと電気的に接続される。また、発光管２の端部２ｃの電極は、導電部材６ｂを介して電気導入線７ａと電気的に接続される。
【００２１】
図２〜図４を参照して、支持体１０の詳細な構成を説明する。図３は、図１のランプのＩＩＩ−ＩＩＩ線に沿った概念的な断面図である。図４は、図３の支持体１０の外囲器１への挿入前の状態を示す概念的な図である。なお、図３及び図４では、支持枠３と支持体１０とを除く外囲器１内の構成要素の図示を省略している。
【００２２】
本実施の形態では、支持体１０は、細長い矩形状の板状部材で構成される支持体本体１１を備える。支持体本体１１は、金属、樹脂等の材料で構成され、可撓性を有している。支持体本体１１は、弾性を有してもよく、耐熱性を有してもよい。本実施の形態では、支持体本体１１は、板ばね材で形成されており、弾性及び耐熱性を有している。支持体本体１１は、その長手方向が外囲器１の本体部１ａの内表面１ａａの周方向に沿う向きにして、配置される。よって、支持体本体１１は、内表面１ａａの周方向に沿って延びる。支持体本体１１の形状は、矩形状に限定されず、いかなる形状でもよいが、内表面１ａａの周方向に延びる形状であることが望ましい。
【００２３】
支持体本体１１は、互いに対向する矩形状の表面１１ｄ及び１１ｅを有している。表面１１ｄ及び１１ｅは、支持体本体１１の幅広な主面を構成する。支持体本体１１において、その長手方向の中央付近に窪み部１１ｃが形成されている。なお、窪み部１１ｃの位置は、支持体本体１１の長手方向の中央付近に限定されず、いかなる位置であってよい。窪み部１１ｃは、表面１１ｅから表面１１ｄに向かって窪み、支持体本体１１の長手方向と交差する方向に延びる。支持体本体１１の両端において、屈曲部１１ａ及び１１ｂが形成され、屈曲部１１ａ及び１１ｂは、窪み部１１ｃの窪み方向と反対方向にその先端を突出させるように、屈曲している。支持体本体１１は、表面１１ｅ上で窪み部１１ｃ内に支持枠３の軸部材３ｃ又は３ｄを嵌め込むように、軸部材３ｃ又は３ｄに配置され且つ固定される。支持体本体１１と軸部材３ｃ又は３ｄとの固定方法は、溶接、溶着、接着、嵌合、螺合、ねじ留め、一体成形等のいかなる方法でもよい。上述のような支持体本体１１は、本体部１ａの内表面１ａａと軸部材３ｃ又は３ｄとの間に位置し、その長手方向を軸部材３ｃ又は３ｄの軸方向と交差するように、具体的には、本実施の形態では略垂直に交差するように延びる。
【００２４】
支持体１０は、支持体本体１１の表面１１ｄ上に、弾性部としての弾性部材１２をさらに備える。弾性部材１２は、本実施の形態では、細長い矩形状の板状部材である。弾性部材１２は、金属、樹脂等の材料で構成され、本実施の形態では、板ばね材で形成されている。本実施の形態では、弾性部材１２は、支持体本体１１と同一の材料で構成されているが、異なっていてもよい。弾性部材１２は、その長手方向が支持体本体１１の長手方向に沿うように配置されている。図４に示されるように、弾性部材１２は、直線状の支持体本体１１に、支持体本体１１から離れる方向に凸状に突出するように湾曲して固定されている。具体的には、弾性部材１２は、円弧状に湾曲する。さらに、弾性部材１２の両端が、屈曲部１１ａ及び１１ｂの間で、支持体本体１１の表面１１ｄに固定される。これにより、弾性部材１２は、表面１１ｄ上で屈曲部１１ａ及び１１ｂの間に位置する。支持体本体１１への弾性部材１２の固定方法は、溶接、溶着、接着、嵌合、螺合、ねじ留め、一体成形等のいかなる方法でもよい。支持体本体１１から離れる方向に凸状に突出する弾性部材１２は、支持体本体１１に対して表面１１ｄと略垂直な方向の弾性を与える。
【００２５】
図４に示されるように、弾性部材１２が取り付けられた直線状の２つ支持体本体１１は、支持枠３の軸部材３ｄ及び３ｄそれぞれに組み付けられた状態で、外囲器１の本体部１ａ内に挿入される。２つ支持体本体１１は、互いに対向する位置に配置されている。そして、図３に示されるように、各支持体本体１１は、本体部１ａの内表面１ａａの形状に対応するように、窪み部１１ｃを中心に曲げられた状態で、本体部１ａ内に挿入される。これにより、各支持体本体１１の両端の屈曲部１１ａ及び１１ｂが内表面１ａａに接触すると共に、弾性部材１２が内表面１ａａに接触する。このとき、弾性部材１２は、支持体本体１１から内表面１ａａに向かって凸状に湾曲している。さらに、弾性部材１２は、屈曲部１１ａ及び１１ｂ以外の部位で支持体本体１１が内表面１ａａと接触しないように、内表面１ａａから支持体本体１１を離して保持する。このような弾性部材１２は、本体部１ａと支持体本体１１との間の緩衝部材として機能する。
【００２６】
また、支持体本体１１の屈曲部１１ａ及び１１ｂは、その屈曲形状によって、先端部分で内表面１ａａと面接触し得る。さらに、屈曲部１１ａ及び１１ｂは、それぞれの先端部分のエッジ、つまり、支持体本体１１の両端のエッジが、内表面１ａａに接触して外囲器１を傷つけることを抑える。支持体本体１１は、屈曲部１１ａ及び１１ｂを内表面１ａａに接触させ係合させることによって、外囲器１に対して支持枠３を固定する。なお、屈曲部１１ａ及び１１ｂ並びに弾性部材１２の全てが常に内表面１ａａと接触する必要はなく、内表面１ａａと常に接触するのは、屈曲部１１ａ及び１１ｂ並びに弾性部材１２の少なくとも１つであってもよく、内表面１ａａと常に接触するものがなくてもよい。例えば、外囲器１に振動、衝撃等の外力が加えられてときに弾性部材１２が内表面１ａａと接触し、本体部１ａと支持体本体１１との間の緩衝材として機能できればよい。
【００２７】
上述のような支持体１０について、支持体本体１１は、支持枠３が本体部１ａの内表面１ａａと接触しないように支持枠３を保持し、弾性部材１２は、屈曲部１１ａ及び１１ｂを除き支持体本体１１が本体部１ａの内表面１ａａと接触しないように支持体本体１１を保持すると共に、支持体本体１１と内表面１ａａとの間の緩衝材として機能する。これにより、外囲器１に振動、衝撃等の外力が加えられても、支持枠３及び支持体本体１１から外囲器１に加えられる衝撃が、弾性部材１２によって緩衝され、外囲器１での損傷の発生が低減する。例えば、弾性部材１２が設けられない場合、外囲器１への外力の付与時、支持体本体１１が窪み部１１ｃでさらに屈曲するように変形し、それにより、窪み部１１ｃの部位で支持体本体１１が外囲器１に衝突し破損させる可能性がある。
【００２８】
上述のようなランプ１００は、屋内外に設置される様々な照明装置のランプに適用可能である。例えば、ランプ１００は、スポーツ施設、商業施設などの屋内外の施設の照明装置、船舶に搭載される集魚灯及び水中灯等に適用可能である。なお、ランプ１００では、外囲器１の本体部１ａが直線状の円筒形状であり、支持枠３は、支持体１０を介して本体部１ａの内表面１ａａで支持される。このため、支持枠３は、本体部１ａの内表面１ａａに接近して配置されることができる。このような構成を有する場合、ランプ１００は、外囲器１が周囲の水によって冷却される水中灯として、特に好適であり、その小型化を可能にする。そして、このような場合でも、支持体１０の弾性部材１２は、支持枠３及び支持体１０から外囲器１に加えられる衝撃を効果的に緩衝する。また、水中灯として使用されるランプ１００は、発光管２が紫外線を発するように構成することによって、水浄化の用途にも適用可能である。
【００２９】
上述したように、実施の形態に係るランプ１００は、透光性を有する外囲器１と、外囲器１内に配置される発光管２と、外囲器１内に配置され且つ発光管２を支持する支持部材としての支持枠３と、外囲器１内に配置され且つ支持枠３を外囲器１の内表面１ａａ上で支持する支持体１０とを備える。支持体１０は、支持体１０と外囲器１の内表面１ａａとの間に弾性部としての弾性部材１２を有する。
【００３０】
上述の構成において、外囲器１に振動又は衝撃が加わった場合、支持枠３が、支持体１０と共に外囲器１の内表面１ａａに向かって変位することがある。このとき、弾性部材１２は、支持体１０から外囲器１の内表面１ａａに加えられる衝撃を緩衝する。従って、外囲器１の内部の構成要素である支持枠３及び支持体１０による外囲器１の破損の発生が抑えられる。
【００３１】
実施の形態に係るランプ１００において、支持体１０は、支持枠３を支持する支持体本体１１をさらに有し、弾性部材１２は、支持体本体１１から外囲器１の内表面１ａａに向かって湾曲する板状部材で構成される。上述の構成において、弾性部材１２は、その湾曲部分を外囲器１の内表面１ａａに接触させるため、外囲器１との接触により外囲器１に与える損傷を抑えることができる。
【００３２】
実施の形態に係るランプ１００において、支持体１０は、支持枠３を支持する支持体本体１１をさらに有し、支持体本体１１は、少なくとも２つの接触位置としての屈曲部１１ａ及び１１ｂで外囲器１の内表面１ａａと接触する板状部材によって構成され、弾性部材１２は、上記接触位置の間に位置する。上述の構成において、外囲器１に振動又は衝撃が加わった場合、支持体本体１１は、変位する支持枠３によって押圧され、支持体本体１１の接触位置の間で外囲器１の内表面１ａａに向かって撓む可能性がある。弾性部材１２は、支持体本体１１のこの撓みに起因する支持体１０から外囲器１の内表面１ａａに加えられる衝撃を、効果的に緩衝する。
【００３３】
［変形例］
以下、図５及び図６を参照して、実施の形態の変形例に係るランプを説明する。なお、図５は、実施の形態の変形例に係るランプを図１と同様に示す概念的な側面図である。図６は、図５のランプのＶＩ−ＶＩ線に沿った概念的な断面図である。変形例に係るランプでは、支持体の構成が、実施の形態に係るランプと異なる。このため、以下では、支持体の構成を中心に説明する。
【００３４】
本変形例に係るランプは、実施の形態に係るランプと同様の位置に、４つの支持体２０を備える。各支持体２０は、２つの支持体本体２１及び２２を備える。支持体本体２１及び２２は、支持枠３の軸部材３ｃ又は３ｄ上で、この軸方向で隣接して配置されている。支持体本体２１及び２２は、実施の形態に係る支持体１０の支持体本体１１と同様の構成を有しているが、支持体本体１１と異なる位置に窪み部２１ｃ及び２２ｃを有している。具体的には、支持体本体２１は、その両端に屈曲部２１ａ及び２１ｂを有し、窪み部２１ｃを屈曲部２１ａよりも屈曲部２１ｂに近い位置に有している。支持体本体２２も、その両端に屈曲部２２ａ及び２２ｂを有し、窪み部２２ｃを屈曲部２２ａよりも屈曲部２２ｂに近い位置に有している。
【００３５】
支持体本体２１及び２２はそれぞれ、窪み部２１ｃ及び２２ｃに支持枠３の軸部材３ｃ又は３ｄを嵌め込むように、軸部材３ｃ又は３ｄに配置され固定される。このとき、支持体本体２１及び２２は、軸部材３ｃ又は３ｄと交差する方向、具体的には、軸部材３ｃ又は３ｄの軸方向と略垂直な方向に延びる。さらに、支持体本体２１及び２２は、図６に示されるように、軸部材３ｃ及び３ｄの軸方向で見たとき互いに交差するように配置される。これにより、屈曲部２１ｂ及び２２ｂが、軸部材３ｃ又は３ｄの近くで、外囲器１の本体部１ａの内表面１ａａと接触し、屈曲部２１ａ及び２２ａが、軸部材３ｃ又は３ｄからより離れた位置で、本体部１ａの内表面１ａａと接触する。よって、支持体本体２１における窪み部２１ｃから屈曲部２１ｂにわたる部位２１ｄが、軸部材３ｃ又は３ｄと内表面１ａａとの間に位置し、支持体２０の弾性部を構成する（以下、部位２１ｄを弾性部とも呼ぶ）。同様に、支持体本体２２における窪み部２２ｃから屈曲部２２ｂにわたる部位２２ｄが、軸部材３ｃ又は３ｄと内表面１ａａとの間に位置し、支持体２０の弾性部を構成する（以下、部位２１ｄを弾性部とも呼ぶ）。よって、弾性部２１ｄ及び２２ｄはそれぞれ、支持体本体２１及び２２の一部である。そして、弾性部２１ｄ及び２２ｄは、屈曲部２１ａ及び２２ａの間に位置する。
【００３６】
弾性部２１ｄ及び２２ｄは、支持体本体２１及び２２自体が備える弾性を、その弾性として備える。さらに、支持体本体２１及び２２が、図６に示すように、窪み部２１ｃ及び２２ｃの位置で、軸部材３ｃ又は３ｄの外周面に沿うように屈曲されて本体部１ａ内に収容されている場合、支持体本体２１及び２２の弾性復元力による弾性も、弾性部２１ｄ及び２２ｄはその弾性として備える。このような弾性部２１ｄ及び２２ｄは、軸部材３ｃ又は３ｄと交差する方向に延び、軸部材３ｃ又は３ｄを本体部１ａの内表面１ａａから離して弾性的に保持する。また、支持体本体２１及び２２における弾性部２１ｄ及び２２ｄを除く部分は、弾性を有しており、本体部１ａの内表面１ａａと接触し係合することによって、軸部材３ｃ又は３ｄを、本体部１ａの内表面１ａａから離し、且つ本体部１ａの軸方向及び軸方向と垂直な方向に移動しないように弾性的に保持する。
【００３７】
上述したように、変形例に係るランプの支持体２０では、弾性部２１ｄ及び２２ｄは、支持枠３と交差して延びる板状部材で構成される。上述の構成において、弾性部２１ｄ及び２２ｄは、支持枠３との交差部分において、支持枠３を外囲器１の内表面１ａａから確実に離すことができる。よって、支持枠３から外囲器１の内表面１ａａに加えられる衝撃がより確実に抑えられる。
【００３８】
［その他の変形例］
実施の形態に係るランプ１００では、支持体１０は、支持体本体１１と外囲器１の内表面１ａａとの間に、湾曲した板状部材で構成される弾性部材１２を弾性部として備えていたが、弾性部の構成は、これに限定されない。支持体１０は、支持体本体と外囲器１の内表面１ａａとの間に、弾性を有するいかなる部材を弾性部として備えてもよい。例えば、このような弾性部として、コイルばね、スチールウール、金属たわしのような金属繊維の塊、スポンジ、発泡スチロール、又はその他の弾性的な樹脂材等が用いられてもよい。
【００３９】
実施の形態及び変形例に係るランプでは、支持体１０及び２０の支持体本体１１、２１及び２２は、外囲器１に係合することによって固定されていたが、これに限定されない。例えば、支持体本体１１及び２１は、外囲器１の内表面に形成された突起に嵌合することによって固定されてもよく、外囲器１の内表面に形成された雌ねじに螺合することによって固定されてもよく、接着又は溶着によって外囲器１に固定されてもよい。
【００４０】
実施の形態及び変形例に係るランプでは、支持体１０及び２０の支持体本体１１、２１及び２２は、外囲器１と２つの位置で接触していたが、これに限定されない。支持体本体１１、２１及び２２は、例えば、屈曲、湾曲などを有する、又は、複数の部材で構成される等の構成を備えることによって、３つ以上の位置で外囲器１と接触してもよい。
【符号の説明】
【００４１】
１  外囲器
１ａａ  内表面
２  発光管
３  支持枠（支持部材）
１０，２０  支持体
１１，２１，２２  支持体本体
１２  弾性部材（弾性部）
２１ｄ，２２ｄ  弾性部
１００  ランプ
【図１】
2018107094.tif 000003
【図２】
2018107094.tif 000004
【図３】
2018107094.tif 000005
【図４】
2018107094.tif 000006
【図５】
2018107094.tif 000007
【図６】
2018107094.tif 000008